(57)【要約】  【課題】  体組成測定に基づいて、各ユーザにとって必要な情報を提供する情報提供システムを提供する。  【解決手段】  体組成計測システム１００は、体組成測定の目的を設定する目的設定部２１１と、体組成を測定する体組成計３０と、体組成計３０における体組成測定に基づいて、目的設定部２１１で設定された目的に応じた情報を提供する情報提供部２２１とを備える。【選択図】  図２
2020194198.tif 000002
【特許請求の範囲】
【請求項１】
体組成測定の目的を設定する目的設定部と、
体組成測定に基づいて、前記目的に応じた情報を提供する情報提供部と、
を備えた、情報提供システム。
【請求項２】
体組成を測定する体組成測定部をさらに備え、
前記情報提供部は、前記体組成測定部における体組成測定に基づいて前記情報を提供する、請求項１に記載の情報提供システム。
【請求項３】
前記目的設定部は、あらかじめ用意された複数の目的候補のなかからユーザによって選択された目的を前記目的として設定する、請求項１又は２に記載の情報提供システム。
【請求項４】
設定された前記目的についての目標を設定する目標設定部をさらに備え、
前記情報提供部は、前記体組成測定に基づいて、さらに前記情報として前記目標に応じた情報を提供する、請求項１〜３のいずれか一項に記載の情報提供システム。
【請求項５】
前記情報提供部は、前記情報として、前記目的に応じた体組成測定値に関する情報を提供する、請求項１〜４のいずれか一項に記載の情報提供システム。
【請求項６】
前記情報提供部は、前記情報として、前記目標と前記体組成測定により得られた体組成測定値との差分に基づく情報を提供する、請求項４に記載の情報提供システム。
【請求項７】
前記情報提供部は、前記体組成測定によって得られた複数項目の体組成測定値の組合せに基づいて、前記情報を提供する、請求項１〜６のいずれかに記載の情報提供システム。
【請求項８】
前記情報提供部は、前記体組成測定部と同じ装置に設けられる、請求項２に記載の情報提供システム。
【請求項９】
コンピュータを、
体組成測定の目的を設定する目的設定部、及び
体組成測定に基づいて、前記目的に応じた情報を提供する情報提供部、
として機能させる、情報提供プログラム。
【発明の詳細な説明】
【技術分野】
【０００１】
本発明は、体組成測に基づいて情報を提供する情報提供システム及び情報提供プログラムに関する。
【背景技術】
【０００２】
足や手などの身体の複数部位に電極を接触させて微弱な電流を流すことで生体インピーダンスを測定し、体重、身長等の情報と合わせることで、体脂肪率、体脂肪量、筋肉量、腹筋／背筋比、体水分量、骨量、内臓脂肪面積、基礎代謝量等の体組成を測定する体組成計が知られている。ユーザは、体組成計で測定を行うことで、自らの身体の各種の体組成測定値を知ることができ、継続的に体組成測定を行うことで、その変化を知ることができる。
【０００３】
上述のように、体組成計を用いることで、体脂肪率、体脂肪量、筋肉量、腹筋／背筋比、体水分量、骨量、内臓脂肪面積、基礎代謝量等の各種の体組成の項目を測定できるが、ユーザのなかには、それらの値をどのように解釈してよいか分からない者もいる。各項目について、標準的ないし理想的な値を提示し、あるいはそのような標準的ないし理想的な値と測定値との差分を示す体組成計が提案されている（例えば、特許文献１の００８７段落、図９を参照）。
【先行技術文献】
【特許文献】
【０００４】
【特許文献１】特開２００７−１９０１４２
【発明の概要】
【発明が解決しようとする課題】
【０００５】
しかしながら、ユーザが、「きれいな体つきにしたい」、「太りにくいからだを作りたい」等の思いがあったとしても、どの項目の体組成測定値に注目し、その体組成測定値をどの程度にすればよいのかの見当がつかないことがある。
【０００６】
そこで、本発明は、体組成測定に基づいて、各ユーザにとって必要な情報を提供する情報提供システムを提供することを目的とする。
【課題を解決するための手段】
【０００７】
本発明の一態様の情報提供システムは、体組成測定の目的を設定する目的設定部と、体組成測定に基づいて、前記目的に応じた情報を提供する情報提供部とを備えた構成を有している。
【０００８】
この構成により、単に測定された複数の項目の体組成測定値をすべて提示するのではなく、体組成測定の目的に応じた情報を提供できる。よって、ユーザには、体組成測定の動機が与えられ、健康状態の改善ないし維持が促進される。なお、情報提供部による情報の提供は、表示による情報提供であっても、音声その他の形式による情報提供であってもよい。また、目的設定部及び情報提供部は、タブレットやスマートフォンのような１つの装置に備えられていてよく、目的設定部及び情報提供部が、それぞれタブレット又はスマートフォンのような端末装置及び当該端末装置と通信可能なサーバ装置によって構成されてよい。例えば、スマートフォンが目的設定の指示を受ける機能を有し、当該指示をサーバ装置に送信することで、サーバ装置において目的が設定されてよい。
【０００９】
上記の情報提供システムは、体組成を測定する体組成測定部をさらに備えていてよく、前記情報提供部は、前記体組成測定部における体組成測定に基づいて前記情報を提供してよい。この構成により、ユーザは体組成測定部における体組成測定に基づく情報の提供を受けることができる。なお、体組成測定部は、生体インピーダンスの測定によって体組成を測定するものであってよい。
【００１０】
上記の情報提供システムにおいて、前記目的設定部は、あらかじめ用意された複数の目的候補のなかからユーザによって選択された目的を前記目的として設定してよい。この構成により、ユーザは、複数の目的候補のなかから選択することにより目的を設定できる。
【００１１】
上記の情報提供システムは、指定された前記目的についての目標を設定する目標設定部をさらに備えていてよく、前記情報提供部は、前記体組成測定に基づいて、さらに前記情報として前記目標に応じた情報を提供してよい。この構成により、設定した目標に応じた情報の提供を受けることができる。
【００１２】
上記の情報提供システムにおいて、前記情報提供部は、前記情報として、前記目的に応じた体組成測定値に関する情報を提供してよい。この構成により、体組成測定によって複数の項目の体組成測定値が得られた場合にも、そのうちの設定された目的に応じた体組成測定値に関する情報を提供できる。
【００１３】
上記の情報提供システムにおいて、前記情報提供部は、前記情報として、前記目標と前記体組成測定により得られた体組成測定値との差分に基づく情報を提供してよい。この構成により、ユーザは、目標と実際のからだとの差分を知ることができる。
【００１４】
上記の情報提供システムにおいて、前記情報提供部は、前記体組成測定によって得られた複数項目の体組成測定値の組合せに基づいて、前記情報を提供してよい。この構成により、体組成測定値を組み合わせることで目的に応じた情報を提供できる。
【００１５】
上記の情報提供システムにおいて、前記情報提供部は、前記体組成測定部と同じ装置に設けられてよい。この構成により、ユーザが体組成測定部で体組成測定を行っている間に情報提供部により当該ユーザに対して目的に応じた情報を提供できる。
【００１６】
本発明の一態様の情報提供プログラムは、コンピュータを、体組成測定の目的を設定する目的設定部、及び体組成測定に基づいて、前記目的に応じた情報を提供する情報提供部
として機能させる構成を有している。
【図面の簡単な説明】
【００１７】
【図１】図１は、本発明の実施の形態の情報提供システムの外観図である。
【図２】図２は、本発明の実施の形態の情報処理システムの構成を示すブロック図である。
【図３】図３は、本発明の実施の形態の目的選択の画面の例を示す図である。
【図４】図４は、本発明の実施の形態の情報提供画面の例を示す図である。
【図５】図５は、本発明の実施の形態の情報提供部による提供情報の生成の例を説明する図である。
【図６】図６は、本発明の実施の形態の情報提供画面の例を示す図である。
【図７】図７は、本発明の実施の形態の情報提供画面の例を示す図である。
【図８】図８は、本発明の実施の形態の目標設定の画面の例を示す図である。
【図９】図９は、本発明の実施の形態の情報提供画面の例を示す図である。
【図１０】図１０は、本発明の実施の形態の情報提供画面の例を示す図である。
【図１１】図１１は、本発明の実施の形態の情報提供画面の例を示す図である。
【発明を実施するための形態】
【００１８】
以下、図面を参照して本発明の実施の形態を説明する。なお、以下に説明する実施の形態は、本発明を実施する場合の一例を示すものであって、本発明を以下に説明する具体的構成に限定するものではない。本発明の実施にあたっては、実施の形態に応じた具体的構成が適宜採用されてよい。
【００１９】
図１は、本発明の実施の形態の情報提供システムの外観図である。本実施の形態の情報提供システムは、体組成計測システム１００として構成されている。体組成計測システム１００は、下部に被測定者（ユーザ）Ｕが乗る載台３２を備え、載台３２から立ち上がる支柱５１の上端部に設けられた本体部５２にタッチディスプレイ１０を備えている。また、本体部５２には、ケーブル５３を介して右ハンドグリップ３３Ｒ及び左ハンドグリップ３３Ｌがそれぞれ接続されている。被計測者Ｕは、図１に示すように、裸足で平板３２の上に立ち、右手で右ハンドグリップ３３Ｒを握り、左手で左ハンドグリップ３３Ｌを握ることで体組成を計測する。計測結果は、タッチディスプレイ１０に表示される。
【００２０】
図２は、本発明の実施の形態の情報処理システムとしての体組成計測システム１００の構成を示すブロック図である。図２では、本実施の形態に関連する構成のみを示している。体組成計測システム１００は、タッチディスプレイ１０と、情報提供装置２０と、体組成計３０とを備えている。タッチディスプレイ１０は、液晶ディスプレイパネル等の表示パネル１１と、表示パネル１１と一体となってタッチ入力を受け付けるタッチセンサ等の入力装置１２とを備えている。なお、入力装置１２として、表示パネル１１とは独立したボタン、スイッチ等の入力装置が用いられてもよい。
【００２１】
体組成計３０は、既存の体組成計と同様の構成を有している。体組成計３０は、体組成測定部３１と、載台３２と、右ハンドグリップ３３Ｒと、左ハンドグリップ３３Ｌと、体重測定部３４とを備えている。載台３２は、右足通電電極３２１Ｒと、右足測定電極３２２Ｒと、左足通電電極３２１Ｌと、左足測定電極３２２Ｌとを備えている。また、右ハンドグリップ３３Ｒは、右手通電電極３３１Ｒと、右手測定電極３３２Ｒとを備え、左ハンドグリップ３３Ｌは、左手通電電極３３１Ｌと、左手測定電極３３２Ｌとを備えている。
【００２２】
体重測定部３４は、体重を計測するためのロードセルを備えている。ロードセルは荷重に応じて変形する金属部材の起歪体と、起歪体に貼られる歪みゲージとによって構成される。ユーザが載台３２の上に乗ると、ユーザの荷重によってロードセルの起歪体が撓んで歪ゲージが伸縮する。歪みゲージの抵抗値（出力値）は、その伸縮に応じて変化する。体組成測定部３１は、荷重がかかっていないときのロードセルの出力値（ゼロ点）と荷重がかかったときの出力値との差から体重を演算する。なお、ロードセルを用いた体重の測定に関する構成は、一般の体重計と同様の構成を用いればよい。
【００２３】
体組成測定部３１には、被測定者Ｕの生体情報として、年齢、性別、身長が入力される。被測定者Ｕの生体情報は、タッチディスプレイ１０を介して体組成測定部３１に入力される。
【００２４】
体組成測定部３１は、各通電用電極から被測定者Ｕの身体の所定部位に所定の周波数の微弱な電流を流す電流供給機能と、電流経路に生じる電位差を測定する電位差測定機能と、このような電流及び電位差の各値に基づいて、ユーザの全身及び各身体部位の生体インピーダンスを算出する生体インピーダンス算出機能とを備えている。
【００２５】
体組成測定部３１による被測定者Ｕの全身及び各身体部位の生体インピーダンスの測定は、例えば以下のようにして行う。
（１）全身の生体インピーダンスの測定では、左手通電電極３３１Ｌ及び左足通電電極３２１Ｌを用いて電流を供給し、左手、左腕、胸部、腹部、左脚部、左足を流れる電流経路において、その左手に接触している左手測定電極３３２Ｌと左足に接触している左足測定電極３２２Ｌとの間の電位差を測定する。
（２）右脚の生体インピーダンスの測定では、右手通電電極３３１Ｒ及び右足通電電極３２１Ｒを用いて電流を供給し、右手、右腕、胸部、腹部、右脚部、右足を流れる電流経路において、その左足に接触している左足測定電極３２２Ｌと右足に接触している右足測定電極３２２Ｒとの間の電位差を測定する。
（３）左脚の生体インピーダンスの測定では、左手通電電極３３１Ｌ及び左足通電電極３２１Ｌを用いて電流を供給し、左手、左腕、胸部、腹部、左脚部、左足を流れる電流経路において、その左足に接触している左足測定電極３２２Ｌと右足に接触している右足測定電極３２２Ｒとの間の電位差を測定する。
（４）右腕の生体インピーダンスの測定では、右手通電電極３３１Ｒ及び右足通電電極３２１Ｒを用いて電流を供給し、右手、右腕、胸部、腹部、右脚部、右足を流れる電流経路において、その左手に接触している左手測定電極３３２Ｌと右手に接触している右手測定電極３３２Ｒとの間の電位差を測定する。
（５）左腕の生体インピーダンスの測定では、左手通電電極３３１Ｌ及び左足通電電極３２１Ｌを用いて電流を供給し、左手、左腕、胸部、腹部、左脚部、左足を流れる電流経路において、その左手に接触している左手測定電極３３２Ｌと右手に接触している右手測定電極３３２Ｒとの間の電位差を測定する。
【００２６】
体組成測定部３１は、入力された被測定者Ｕの生体情報と、体重測定部３４で測定された体重と、算出された各生体インピーダンスを所定の回帰式に適用して演算することで、全身及び身体部位ごとの体組成測定値を算出する。体組成測定部３１は、体組成測定値として、脂肪率、脂肪量、除脂肪量、筋肉量、内臓脂肪量、内臓脂肪レベル、内蔵脂肪面積、皮下脂肪量、基礎代謝量、骨量、体水分率、ＢＭＩ、細胞内液量、細胞外液量を算出する。体組成測定値の演算に関する構成も、一般の体組成計と同様の構成を用いることができる。
【００２７】
情報処理装置２０は、タッチディスプレイ１０及び体組成計３０に接続されている。情報提供装置２０は、設定部２１と、情報処理部２２と、記憶部２３とを備えている。情報処理装置２０の設定部２１及び情報処理部２２は、汎用のコンピュータが本実施の形態の情報提供プログラムを実行することで実現される。あるいは、設定部２１及び情報処理部２２は、ＡＳＩＣ等の個別のハードウェアによって実現されてもよい。
【００２８】
設定部２１は、目的設定部２１１と、目標設定部２１２と、個人登録部２１３とを備えている。情報処理部２２は、情報提供部２２１と、制御部２２２とを備えている。また、記憶部２３は、提供情報記憶部２３１と、体組成記憶部２３２と、個人情報記憶部２３３とを備えている。
【００２９】
個人登録部２１３は、ユーザＩＤやパスワード等のユーザ個人を特定するための情報（ユーザ特定情報）と、ユーザの身長、年齢、性別等の生体の情報とを含む個人情報を登録する。個人登録部２１３は、個人情報を登録するための登録画面を表示パネル１１に表示し、登録画面に関連して入力装置１２に対してされた入力に基づいて、個人情報を取得する。個人登録部２１３は、取得した個人情報をユーザごとに個人情報記憶部２３３に記憶する。
【００３０】
目的設定部２１１は、ユーザごとに体組成測定の目的を設定する。目的設定部２１１は、ユーザの入力に従って目的を設定してもよいし、ユーザの情報に基づいて自動的に目的を設定してもよいし、ランダムに目的を設定してもよい。ユーザの入力に従って目的を設定する場合には、目的設定部２１１は、あらかじめ複数の目的候補を用意しておき、それらをユーザに提示するとともに、目的候補のなかからのユーザによる選択を受け付けることで目的を設定してよい。
【００３１】
図３は、本発明の実施の形態の目的選択の画面の例を示す図である。目的設定部２１１には、体組成測定の目的の候補として、「脂肪を減らしたい」のような体組成の具体的な項目（この場合は、体脂肪率）を増減させるもの、「太りにくいからだを作りたい」、「きれいな筋肉を目指したい」、「競技会などを目指したい」、「生活習慣病を予防したい」のような体づくりの方針、「お腹をへこませたい」のような身体の特定の部位又は身体全体のサイズを増減させるもの、「今のからだを維持したい」のような現状維持を目指すものが用意されている。ユーザが目的選択画面においていずれかの目的を指定すると、当該目的が選択されて目的設定部２１１において当該目的が設定される。設定された目的は、個人登録において指定された、ユーザ個人を特定するユーザ特定情報とともに提供情報記憶部２３１に記憶される。
【００３２】
情報提供部２２１は、目的設定部２１１にて目的が設定されると、体組成計３０で体組成測定が行われたことをトリガとして、体組成計３０における体組成測定に基づいて、設定された目的に応じた情報をタッチディスプレイ１０に出力する。目的に応じた情報は、体組成計３０にて得られた複数項目の体組成測定値のうちの目的に応じた一又は複数の項目の体組成測定値であってもよいし、そのような一又は複数の項目の体組成測定値の組合せから算出される、目的に関する度数、係数、ないし評価値（以下、単に「度数」という。）であってもよいし、それらの数値に基づくメッセージ（例えば、アドバイス、コメント、広告）であってもよい。目的に関する度数は、例えば、「太りにくいからだを作りたい」という目的に関して、太りにくさの度数であってよい。
【００３３】
情報提供部２２１は、例えば、「太りにくいからだを作りたい」という目的が設定されている場合に、設定された目的に応じた情報として、体組成計３０で得られた体組成測定値のうちの、その目的に関連する体組成の項目である体脂肪率及び筋肉量を出力してよい。このために、提供情報記憶部２３１には、目的ごとに、当該目的に関連する体組成測定値の項目との関係を規定するテーブルが記憶され、情報提供部２２１はこのテーブルを参照することで目的に対応する体組成測定値の項目を特定する。
【００３４】
あるいは、情報提供部２２１は、その目的に関連する体脂肪率及び筋肉量から太りにくさの度数を算出して、その度数を、設定された目的に応じた情報として出力してもよい。この場合には、提供情報記憶部２３１は、目的ごとに、当該目的に対応する度数の算出式を記憶している。この算出式は、当該目的に関連する体組成測定値を変数とする式であり、情報提供部２２１は、設定された目的に対応する算出式に、体組成計３０で測定された体組成測定値のうちの関連する体組成測定値を入力することで、当該目的に対応する度数を得る。
【００３５】
また、上述のように、情報提供部２２１は、目的に応じた情報として、目的に関連するメッセージを出力してよい。例えば、情報提供部２２１は、設定された目的と、目的に応じた情報として提示される体組成測定値との関係、即ち、設定された目的に対して一部の体組成測定値が提示される理由を説明するコメントを出力してよい。
【００３６】
また、例えば、情報提供部２２１は、目的に応じた情報として、目的に応じて増加ないし減少させるべき体組成測定値に関連する商品の広告を出力してよい。例えば、情報提供部２２１は、目的が「脂肪を減らしたい」であるときに、脂肪の燃焼を補助するサプリメントの広告を出力してよい。このために、提供情報記憶部２３１は、目的と当該目的に関連する商品の広告とを対応付けた広告テーブルを記憶している。情報提供部２２１は、目的が設定されると、広告テーブルを参照して、該当する広告を出力する。
【００３７】
情報提供部２２１は、目的に応じた出力すべき情報として、目的に応じたコメント、アドバイス、広告等が複数あるときには、それらのうちから一部をランダムに選択して出力してよい。これにより、毎日同じコメント等が出力されることで、ユーザが飽きてしまうという状況を軽減できる。
【００３８】
更に、情報提供部２２１は、目的に応じて選択された一部の体組成測定値を出力する場合において、出力する体組成測定値の項目数（種類数）を可変としてもよい。出力する体組成測定値の項目数は、ユーザの指示に従って可変としてよい。あるいは、情報提供部２２１は、目的を設定してからの経過時間に応じて項目数を増加させるようにしてよい。これにより、目的を設定した当初は、より少ない項目数の体組成測定値を提示することで、ユーザに、設定された目的と体組成測定値との関係を理解してもらい、徐々に項目数を増やしていくことで徐々により多くの項目の体組成測定値についての理解を深めてもらうことができる。また、体組成測定の回数ないし頻度の増加に応じて、提示する体組成測定値の項目数を増加させてもよい。特に、測定頻度が増加している場合には、ユーザの健康管理に関する意識が向上してきていると考えられるため、体組成測定についての理解を深めてもらうよいタイミングであると考えることができる。
【００３９】
図４は、本発明の実施の形態の情報提供画面の例を示す図である。この情報提供画面は、情報提供部２２１が出力し、タッチディスプレイ１０に表示される。図５の例では、「太りにくいからだを作りたい」という目的が設定されており、目的に関連する体組成測定値として、体脂肪率及び筋肉量が示されている。また、目的に関連したメッセージとして、目的に関連する体組成測定値を改善するためのアドバイスが示されている。さらに、目的に関連する広告も示されている。
【００４０】
図５は、本発明の実施の形態の情報提供部による提供情報の生成の例を説明する図である。この例では、例えば、目的として、「きれいな筋肉を目指したい」という目的が設定されている。このために、情報提供部２２１は、体組成計３０で測定された体組成測定値のうち、体脂肪率（ＦＡＴ）、筋肉量、内臓脂肪量、皮下脂肪量の値を用いて提供情報を生成する。具体的には、情報提供部２２１は、筋肉量（肢除脂肪重量）を身長の二乗で割ることで３段階の骨格筋量指標（Ｍｕｓｃｌｅ  ｍａｓｓ  Ｉｎｄｅｘ）を算出し、この骨格筋量指標と３段階の体脂肪率との組み合わせによって、タイプＩ〜タイプＩＸの９通りの体格タイプを求める。また、情報提供部２２１は、３段階の内臓脂肪量と５段階の皮下脂肪量から１５通りの腹部断面モデルを決定する。
【００４１】
図６及び図７は、本発明の実施の形態の情報提供画面の例を示す図である。情報提供部２２１は、体格タイプと腹部断面モデルとを組み合わせた挿絵とともに、その説明文ないしアドバイスを含む情報提供画面を生成する。図６の例は、体格タイプがＶであり、腹部断面モデルが９である例を示しており、図７の例は、体格タイプがＶＩＩＩであり、腹部断面モデルが４である例を示している。
【００４２】
上記の例では、情報提供部２２１は、体組成計３０で測定された体組成測定値のうち、目的に応じた体組成測定値を用いて提供する情報を生成する。また、図５〜７の例では、情報提供部２２１は、体組成計３０で生成された体組成測定値のうちの複数の体組成測定値を組み合わせることで提供情報を生成する。
【００４３】
なお、上記の実施の形態では、情報が画面による表示の方式で提供されたが、情報提供の方式はこれに限られず、情報の一部又は全部が音声その他の方式でユーザに提供されてもよい。
【００４４】
目標設定部２１２は、設定された目的についての目標を設定する。なお、目標設定部２１２による目標設定は任意であり、目標設定はしなくてもよい。目標設定部２１２は、設定された目的について情報提供部２２１から出力される提供情報（目的に関連する体組成測定値、又は目的に関連する度数）の目標値、及びその目標値の達成期限を目標として設定する。なお、目標設定部２１２は、目標値のみを設定し、達成期限を設定しなくてもよい。
【００４５】
例えば、目的設定部２１１によって「太りにくいからだを作りたい」という目的が設定されており、情報提供部２２１が提供情報として、当該目的に関連する体組成測定値である体脂肪率及び筋肉量を出力する場合には、目標設定部２１２は、目標として、体脂肪率及び筋肉量の目標値及びその達成期限を設定する。また、例えば、目的設定部２１１によって「太りにくいからだを作りたい」という目的が設定されており、情報提供部２２１が提供情報として、当該目的に関連する度数を出力する場合には、目標設定部２１２は、目標として、太りにくさの度数の目標値及びその達成期限を設定する。
【００４６】
目標設定部２１２は、目標を自動で設定してよいし、目標をユーザの入力に基づいて設定してもよい。目標設定部２１２は、目標を設定するときの実際のユーザの体組成測定値に基づいて目標値を設定してよい。目標設定部２１１は、例えば、目的に関連するユーザの体組成測定値を所定割合（例えば、１０％）だけ改善した値を目標値として設定してよい。
【００４７】
また、目標設定部２１２は、設定された目的に関連する体組成測定値の理想値を目標として設定してもよい。この場合には、提供情報記憶部２３１には、目的ごとに、体組成測定値の種類とその理想値との関係を示すテーブルを有し、目標設定部２１２は、このテーブルを参照することで目標値を決定してよい。この理想値は、例えば、理想値としてあらかじめ固定的に定められたものであってよく、あるいは、ユーザの体重、身長、年齢、性別等から所定の算出式によって算出されるものであってもよい。あるいは、理想値は、複数のユーザの体組成測定値を統計的に処理して得られる値（例えば、複数のユーザの平均値）であってもよい。
【００４８】
あるいは、目標設定部２１２は、ユーザからの入力に基づいて目標値を決定してよい。例えば、上記のようにユーザの体組成測定値を所定の割合だけ改善した値を目標値として設定する場合において、当該割合をユーザからの入力に基づいて決定してよい。また、目標設定部２１２は、例えば、情報提供部２２１が目的に関する度数を情報提供する場合には、目標を設定しようとするときの度数をユーザに提示するとともに、目標とする度数をユーザに入力させることで目標値を設定してよい。
【００４９】
目標設定部２１２は、「すごく」、「ほどほどに」、「少しだけ」のような感覚的な表現で目標候補をユーザに提示して、ユーザの選択を受けて、選択された感覚的表現に応じて目標値を設定してよい。この場合には、目標設定値２１２は、例えば、「すごく」が選択された場合には、ユーザの体組成測定値を１５％改善した値を目標値とし、「ほどほどに」が選択された場合には、ユーザの体組成測定値を１０％改善した値を目標値とし、「少しだけ」が選択された場合には、ユーザの体組成測定値を５％改善した値を目標値としてよい。
【００５０】
また、目標設定部２１２は、設定した目標値について、達成期限を設定する。達成期限は、設定時からの時間で設定してもよいし、達成期限日で設定してもよい。目標設定部２１２は、達成期限を自動で設定してよく、ユーザの入力に従って達成期限を設定してもよい。目標設定部２１２は、「３カ月以内」、「６カ月以内」、「１年以内」のような複数の達成期限の候補をユーザに提示して、ユーザの選択を受けて、選択された期限を達成期限として設定してよい。あるいは、目標設定部２１２は、日単位、週単位、月単位等の所定の単位でユーザからの達成期限の入力を受けて達成期限を設定してもよい。
【００５１】
図８は、本発明の実施の形態の目標設定の画面の例を示す図である。この目標設定画面では、目標値の候補として、目的に関連する体組成測定値や度数を１５％改善する「すごく」、１０％改善する「ほどほどに」、５％改善する「少しだけ」が表示されており、ユーザは、これらのいずれかを選択することで目標値を指定する。また、図８の目標設定画面では、目標の達成期限の候補として、「３カ月以内」、「６カ月以内」、「１年以内」の選択肢が表示されており、ユーザは、これらのいずれかを選択することで達成期限を指定する。
【００５２】
この目標設定画面は、目標設定部２１２によって表示パネル１１に表示される。目標設定部２１２は、この目標設定画面に関連して入力装置１２に対してされた入力に従って、目標値及び達成期限を設定する。
【００５３】
上述のように、情報提供部２２１が提供する情報は、目的設定部２１１で設定された目的に応じた情報であるが、この情報は、目標設定部２１２で目標が設定された場合には、その目標にも応じた情報であってよい。具体的には、情報提供部２２１は、目標値と体組成測定値との差分に基づく情報を出力してよい。これにより、ユーザは、目標と実際の身体との差分を知ることができる。例えば、情報提供部２２１は、提供情報として体脂肪率を出力する場合において、目標値とされている体脂肪率との差分が３％である場合に、測定された体脂肪率とともに、目標に応じた情報として「目標体脂肪率まで、あと３％減少させましょう」というコメントを出力してよい。
【００５４】
このために、制御部２２２は、体組成計３０で体組成測定が行われるたびに、その体組成測定値を、ユーザ特定情報に関連付けて体組成記憶部２３２に記憶させる。また、提供情報記憶部２３１には、差分を算出するための差分算出式が記憶されており、情報提供部２２１は、この差分算出式を用いて差分を算出する。さらに、提供情報記憶部２３１は、提供情報として出力するコメントのフォーマット（上記の例では、「目標体脂肪率まであと（体脂肪率の差分）％減少させましょう」）を記憶している。情報提供部２２１は、差分算出式で算出された値をこのフォーマットに代入することで、コメントを生成する。
【００５５】
情報提供部２２１は、体組成記憶部２３２を参照することで、過去の所定期間（例えば、３日間、１週間等）の体組成測定値の遷移（変動）を取得し、この遷移に従って体組成が変化した場合に目標が達成される時期を算出し、当該時期と目標設定部２１２で設定された達成期限とを比較して、その差分を示す情報を、目標に応じた情報として出力してもよい。例えば、情報提供部２２１は、提供情報として、体組成測定値の遷移に基づいて算出された目標達成時期が達成期限よりも１週間前である場合に、「達成期限よりも１週間早く達成できます」というコメントを出力してよい。
【００５６】
このために、提供情報記憶部２３１には、目標が達成される時期を算出するための時期算出式、及び目標値との差分を算出するための差分算出式が記憶している。情報提供部２２１は、提供情報記憶部２３１に記憶された時期算出式及び差分算出式を用いて、目標が達成される時期及び目標値との差分を算出する。また、提供情報記憶部２３１は、提供情報として出力するコメントのフォーマット（上記の例では、例えば、「達成期限よりも（余裕期間）早く達成できます」、「達成期限には間に合いません。達成期限の（超過期間）後に達成できます」）を記憶している。情報提供部２２１は、自基端出式及び差分算出式で算出された目標達成時期に基づく余裕期間や超過期間をこのフォーマットに代入することで、コメントを作成する。
【００５７】
情報提供部２２１は、過去の所定期間の体組成測定値の変動における単位期間あたりの変化量と、達成期限までに必要とされる単位期間あたりの体組成測定値の変化量との差分に基づいて、目標に対応する情報を出力してもよい。例えば、過去の単位期間あたりの変化量が、必要な変化量を上回っていた場合に、当該上回っている分に相当するエネルギーを食物量に換算してコメントとして出力してよい。情報提供部２２１は、例えば、情報提供部２２１は、「多く消費した分のカロリーはごはん１．５杯分です」というコメントを出力してよい。また、情報提供部２２１は、例えば、過去の単に期間あたりの変化量が、必要な変化量を下回っている場合には、当該下回っている分に相当するエネルギーを食物量に換算してアドバイスとして出力してよい。例えば、情報提供部２２１は、「毎日ごはん１．５杯分のカロリー制限をしましょう」というアドバイスを出力してよい。
【００５８】
このために、提供情報記憶部２３１には、設定された目標値と現在の体組成測定値ないし度数との差分と、過去の所定期間の体組成測定値の変動と、達成期限までの猶予期間とに基づいて、１日に増減させるべきエネルギーを算出するエネルギー算出式と、エネルギーを食物量に換算する換算式とが記憶されている。情報提供部２２１は、これらのエネルギー算出式及び換算式を用いて、設定された目標値と現在の体組成測定値ないし度数との差と、過去の所定期間の体組成測定値の変動と、達成期限までの猶予期間とから食物量を算出する。エネルギーと食物量との換算には、各食物の平均的な値を採用することができる。
【００５９】
また、提供情報記憶部２３１は、提供情報として出力するコメントのフォーマット（上記の例では、「多く消費した分のカロリーは（食物）（量）分です」、「毎日（食物）（量）分のカロリー制限をしましょう」）を記憶している。情報提供部２２１は、換算式で算出された食物量をこのフォーマットに代入することで、コメントを生成する。
【００６０】
図９は、本発明の実施の形態の情報提供画面の例を示す図である。図９の例の情報提供画面では、直近３日間において、摂取したカロリーと消費したカロリーとを比較すると消費したカロリーの方が６７０ｋｃａｌ分多いことを示しており、それが、ごはん３杯分又はケーキ１．５個分であることが示されている。
【００６１】
情報提供部２２２１は、目標が設定されているか否かに関わらず、過去の所定期間の体組成測定値の単位期間あたりの体組成測定値の変化量に相当するエネルギーを食物量ないしカロリーに換算してコメントとして出力してよい。例えば、情報提供部２２１は、「１日あたりの消費エネルギーは、ハンバーガー１０個分です」というコメントを出力してよい。
【００６２】
情報提供部２２１は、目標が設定されているか否かに関わらず、過去の所定期間の体組成測定値の遷移に従って体組成が変化した場合に、体組成測定値が将来的にどのようになるかを予測して、目的に応じた情報として当該予測値を出力してよい。例えば、情報提供部２２１は、直近の１か月間で体脂肪率が３％増加した場合に、３か月後に体脂肪率が９％増加すると予測して、提供情報として「このままいくと３か月後には体脂肪率が９％増加します」というコメントを出力してよい。
【００６３】
情報提供部２２１は、目的に応じた情報として、目標と測定された体組成測定値とに基づいて、体組成測定値を目標値に近づけるためのアドバイスを出力してよい。例えば、情報提供部２２１は、目標値としての体脂肪率と、目標の達成期限ないし達成期限までの猶予期間と、体組成測定値としての体脂肪率と、体組成測定値としての基礎代謝量とに基づいて、達成期限までに目標値の体脂肪率になるために、当該ユーザが１日あたりの必要な運動量を算出して、算出された運動量をアドバイスとして出力してよい。
【００６４】
例えば、情報提供部２２１は、「目標達成のために、１日３０分のランニングをしましょう」というアドバイスを出力してよい。また、情報提供部２２１は、減少させるべき体脂肪率が上記と同じであったとしても、達成期限までの猶予期間がより短い場合には、例えば、「目標達成のために、１日４５分のランニングをしましょう」とより厳しいアドバイスを出力することになる。
【００６５】
このために、情報提供部２２１は、上記のエネルギー算出式と、エネルギーを運動量に換算する換算テーブルとが記憶されている。情報提供部２２１は、これらのエネルギー算出式及び換算式を用いて、設定された目標値と現在の体組成測定値ないし度数との差と、過去の所定期間の体組成測定値の変動と、達成期限までの猶予期間とから運動量を算出する。
【００６６】
また、提供情報記憶部２３１は、提供情報として出力するコメントのフォーマット（上記の例では、「目標達成のために、１日（量）の（運動）をしましょう」）を記憶している。情報提供部２２１は、換算式で算出された運動量をこのフォーマットに代入することで、コメントを生成する。
【００６７】
また、達成期限を設定していない場合には、情報提供部２２１は、体組成記憶部２３２を参照することで、過去の所定期間（例えば、３日間、１週間等）の体組成測定値の遷移（変動）を取得し、この遷移に従って体組成が変化した場合に目標が達成される時期を算出して出力してよい。
【００６８】
図１０は、本発明の実施の形態の情報提供画面の例を示す図である。図１０の例の情報提供画面では、直近３日間において、摂取したカロリーと消費したカロリーとを比較すると摂取したカロリーの方が６７０ｋｃａｌ分多い（食べ過ぎである）ことを示しており、この摂取過多のカロリーを消費するために必要な運動量を示している。
【００６９】
図１１は、本発明の実施の形態の情報提供画面の例を示す図である。図１１の例の情報提供画面では、過去の体脂肪率の遷移に従って体脂肪率が変化した場合の目標達成時期を示している。図１１の例の情報提供画面では、体脂肪率の目標値が２４．０％と設定されており、過去の体脂肪率の遷移によれば、１週間後に２７．５％となり、１か月後に１か月後に２６．１％になり、目標値である２４．０％を下回るのが半年後であることが予測されている。
【００７０】
以上のように、本発明の実施の形態の体組成測定システム１００では、体組成測定の目的を設定することができ、体組成計３０における測定に基づいて、設定された目的に応じた情報がタッチディスプレイ１０に表示される。また、目的についての目標を設定することで、目標値と測定された体組成測定値に基づく情報を提供することもできる。これにより、ユーザは、目的をもって体組成の測定を行うことができる。
【００７１】
なお、上記の実施の形態では、タッチディスプレイ１０と、情報処理装置２０と、体組成計３０とが一体となって図１に示す体組成計測システム１００を構成していたが、タッチディスプレイ１０と、情報処理装置２０と、体組成計３０とはそれぞれ互いに通信可能な別々の装置で構成されていてもよい。
【００７２】
例えば、タッチディスプレイ１０が、体組成計３０と無線通信可能なスマートフォンやタブレット等のデバイスとして構成され、情報処理装置２０は、タッチディスプレイ１０に相当するデバイスと通信ネットワークを介して通信可能なサーバ装置として構成されてもよい。この場合に、体組成計３０は、載台３２に４つの電極のみを有し、ハンドグリップを有しない４電極方式の体組成計であってよく、あるいは、左右のハンドグリップに合計４つの電極のみを有する４電極方式の体組成計であってもよい。
【００７３】
また、タッチディスプレイ１０と情報処理装置２０とがスマートフォン等のデバイスによって構成されてもよい。この場合に、記憶部２３に記憶されるデータは、スマートフォンが通信ネットワークを介して更新サーバに接続することで更新されてもよい。
【００７４】
なお、上記の実施の形態では、体組成測定システム１００は、体組成計３０で体組成を測定して、その体組成測定に応じた情報を提供したが、情報提供部２２１は、更に、血圧計、運動量計、尿糖計、歩数計等の器機からの測定値にも基づいて提供する情報を決定してもよい。
【００７５】
上記の実施の形態では以下の発明も開示されている。
（１）複数項目の体組成測定値を測定する体組成測定部と、
測定された複数の体組成測定値から一部の体組成測定値を選択し、選択された体組成測定値に関する情報を提供する情報提供部と、
を備えた情報提供システム。
【００７６】
（２）（１）の情報提供システムにおいて、
さらに、目的を設定する目的設定部を備え、
前記情報提供部は、設定された前記目的に応じて体組成測定値を選択する、情報提供システム。
【００７７】
（３）（１）又は（２）の情報提供システムにおいて、
前記情報提供部は、前記体組成測定値を可変に選択する、情報提供システム。
【００７８】
（４）（１）〜（３）のいずれかの情報提供システムであって、
前記情報提供部は、所定の基準時からの経過時間、体組成測定の回数、又は体組成測定の頻度に応じて選択する体組成測定値の数を増加させる、情報提供システム。
【００７９】
（５）（１）〜（４）のいずれかの情報提供システムであって、
前記情報提供部は、選択した体組成測定値に応じたメッセージを前記情報として提供する、情報提供システム。
【００８０】
（６）（５）の情報提供システムであって、
前記情報提供部は、前記メッセージとして、選択した体組成測定値と所定の基準値との差分に応じたメッセージを提供する、情報提供システム。
【符号の説明】
【００８１】
１０…タッチディスプレイ、１１…表示パネル、１２…入力装置、２０…情報提供装置、２１…設定部、２１１…目的設定部、２１２…目標設定部、２１３…個人登録部、２２…情報処理部、２２１…情報提供部、２２２…制御部、２３…記憶部、２３１…提供情報記憶部、２３２…体組成記憶部、２３３…個人情報記憶部、３０…体組成計、３１…体組成測定部、３２…載台、３３Ｒ…右ハンドグリップ、３３Ｌ…左ハンドグリップ、３４…体重測定部
【図１】
2020194198.tif 000003
【図２】
2020194198.tif 000004
【図３】
2020194198.tif 000005
【図４】
2020194198.tif 000006
【図５】
2020194198.tif 000007
【図６】
2020194198.tif 000008
【図７】
2020194198.tif 000009
【図８】
2020194198.tif 000010
【図９】
2020194198.tif 000011
【図１０】
2020194198.tif 000012
【図１１】
2020194198.tif 000013